(57)【要約】チャネル状態情報参照信号（ＣＳＩ−ＲＳ）送信のための直交周波数分割多重（ＯＦＤＭ）システムでリソース要素を割り当てる方法が開示される。方法はリソース要素の２次元周波数時間ドメインへの変換を含む。次いで、変換されたリソース要素は例えば１つのサブフレームであり得る物理的リソースブロック（ＰＲＢ）のユニットへ分割され得る。ＰＲＢの一部が別の信号により使用されているか決定され得る。ＰＲＢの一部が使用されない場合、ＣＳＩ−ＲＳ送信に対して割り当てられ得る。ＣＳＩ−ＲＳは例えば通常または周波数分割複信（ＦＤＤ）ダウンリンクサブフレームにおけるＣＳＩ−ＲＳに利用可能なリソース要素により決定されるリソース要素ロケーションで送信され得る。ＣＳＩ−ＲＳは単一周波数ネットワークを介したマルチメディア放送（ＭＢＳＦＮ）または非ＭＢＳＦＮサブフレームとして構成されるダウンリンクサブフレームで送信され得る。【特許請求の範囲】
【請求項１】
チャネル状態情報参照信号（ＣＳＩ−ＲＳ）の送信のための直交周波数分割多重（ＯＦＤＭ）システムにおいてリソース要素を割り当てる方法であって、該方法は、
１つ以上のリソース要素を２次元周波数時間ドメインへ変換することと、
該１つ以上の変換されたリソース要素を物理的なリソースブロック（ＰＲＢ）のユニットに分割することと、
ＰＲＢの少なくとも一部分が信号により使用されているかどうか決定することと、
該ＰＲＢの少なくとも一部分が同時に使用されていない場合、ＣＳＩ−ＲＳの送信のための該ＰＲＢの少なくとも一部分を割り当てることと
を含む、方法。
【請求項２】
請求項１の方法であって、１つのＰＲＢの時間ドメイン次元は、１つのサブフレームである、方法。
【請求項３】
請求項１の方法であって、該方法は、
セル固有参照信号（ＣＲＳ）、物理的ダウンリンク制御チャネル（ＰＤＣＣＨ）および復調参照信号（ＤＭＲＳ）の少なくとも１つを含み、規則的なダウンリンクサブフレームにおいて前記ＣＳＩ−ＲＳに利用可能な前記リソース要素により決定されるリソース要素ロケーションにおいて該ＣＳＩ−ＲＳを送信することをさらに含む、方法。
【請求項４】
請求項１の方法であって、該方法は、
ＣＲＳ、ＰＤＣＣＨ、一次同期信号（ＰＳＳ）、二次同期信号（ＳＳＳ）およびＤＭＲＳを含む周波数分割複信（ＦＤＤ）ダウンリンクサブフレームにおける前記ＣＳＩ−ＲＳに利用可能な前記リソース要素により決定されるリソース要素ロケーションで該ＣＳＩ−ＲＳを送信することをさらに含む、方法。
【請求項５】
請求項３の方法であって、該方法は、
単一周波数ネットワークを介したマルチメディア放送（ＭＢＳＦＮ）サブフレームとして構成されているダウンリンクサブフレームにおいて前記ＣＳＩ−ＲＳを送信することをさらに含む、方法。
【請求項６】
請求項３の方法であって、該方法は、
規則的な非ＭＢＳＦＮサブフレームとして構成されているダウンリンクサブフレームにおいて前記ＣＳＩ−ＲＳを送信することをさらに含む、方法。
【請求項７】
請求項４の方法であって、該方法は、
ＭＢＳＦＮサブフレームとして構成されているダウンリンクサブフレームにおいて前記ＣＳＩ−ＲＳを送信することをさらに含む、方法。
【請求項８】
請求項４の方法であって、該方法は、
規則的な非ＭＢＳＦＮサブフレームとして構成されているダウンリンクサブフレームにおいて前記ＣＳＩ−ＲＳを送信することをさらに含む、方法。
【請求項９】
請求項３の方法であって、該方法は、
前記ＣＳＩ−ＲＳが、ＰＳＳ、ＳＳＳ、物理的放送チャネル（ＰＢＣＨ）、システム情報ブロックタイプ１（ＳＩＢ１）およびページングの少なくとも１つにより使用されるリソース要素と相反するサブフレームにおいて、全バンド幅を介して送信をキャンセルすることをさらに含む、方法。
【請求項１０】
請求項３の方法であって、該方法は、
前記ＣＳＩ−ＲＳが、ＰＳＳ、ＳＳＳおよびＰＢＣＨの少なくとも１つにより使用されるリソース要素と相反する、特定のリソース要素上で、前記ＣＳＩ−ＲＳの送信をキャンセルすることをさらに含む、方法。
【請求項１１】
チャネル状態情報参照信号（ＣＳＩ−ＲＳ）の送信のための直交周波数分割多重（ＯＦＤＭ）システムにおいてリソース要素を割り当てるように構成されているステーションであって、該ステーションは、
１つ以上のリソース要素を２次元周波数時間ドメインに変換するように構成されている変換ユニットと、
該１つ以上の変換されたリソース要素を、物理的リソースブロック（ＰＲＢ）のユニットへ分割するように構成されている分割ユニットと、
ＰＲＢの少なくとも一部が信号により使用されているかどうかを決定するように構成されている決定ユニットと、
該ＰＲＢの少なくとも一部が同時に使用されていない場合、該ＣＳＩ−ＲＳの送信のために該ＰＲＢの少なくとも一部を割り当てるように構成されている割り当てユニットと
を含む、ステーション。
【請求項１２】
請求項１１のステーションであって、１つの前記ＰＲＢの時間ドメイン次元は、１つのサブフレームである、ステーション。
【請求項１３】
請求項１１のステーションであって、該ステーションは、
セル固有参照信号（ＣＲＳ）、物理的ダウンリンク制御チャネル（ＰＤＣＣＨ）および復調参照信号（ＤＭＲＳ）の少なくとも１つを含み、規則的なダウンリンクサブフレームにおける前記ＣＳＩ−ＲＳに利用可能なリソース要素により決定されるリソース要素ロケーションで該ＣＳＩ−ＲＳを送信するように構成されている送信器をさらに含む、ステーション。
【請求項１４】
請求項１１のステーションであって、該ステーションは、
ＣＲＳ、ＰＤＣＣＨ、一次同期信号（ＰＳＳ）、二次同期信号（ＳＳＳ）およびＤＭＲＳを含む周波数分割複信（ＦＤＤ）ダウンリンクサブフレームにおける前記ＣＳＩ−ＲＳに利用可能な前記リソース要素により決定されるリソース要素ロケーションで該ＣＳＩ−ＲＳを送信するように構成されている送信器をさらに含む、ステーション。
【請求項１５】
請求項１３のステーションであって、該ステーションは、
単一周波数ネットワークを介したマルチメディア放送（ＭＢＳＦＮ）サブフレームとして構成されているダウンリンクサブフレームにおいて前記ＣＳＩ−ＲＳを送信するように構成されている送信器をさらに含む、ステーション。
【請求項１６】
請求項１３のステーションであって、該ステーションは、
規則的な非ＭＢＳＦＮサブフレームとして構成されているダウンリンクサブフレームにおいて前記ＣＳＩ−ＲＳを送信することをさらに含む、ステーション。
【請求項１７】
請求項１４のステーションであって、該ステーションは、
ＭＢＳＦＮサブフレームとして構成されているダウンリンクサブフレームにおいて前記ＣＳＩ−ＲＳを送信するように構成されている送信器をさらに含む、ステーション。
【請求項１８】
請求項１４のステーションであって、該ステーションは、
規則的な非ＭＢＳＦＮサブフレームとして構成されているダウンリンクサブフレームにおいて前記ＣＳＩ−ＲＳを送信するように構成されている送信器をさらに含む、ステーション。
【請求項１９】
請求項１３のステーションであって、該ステーションは、
前記ＣＳＩ−ＲＳが、ＰＳＳ、ＳＳＳ、物理的放送チャネル（ＰＢＣＨ）、システム情報ブロックタイプ１（ＳＩＢ１）およびページングの少なくとも１つにより使用されるリソース要素と相反する、サブフレームにおいて、全バンド幅に対しての送信をキャンセルするように構成されているキャンセルユニットをさらに含む、ステーション。
【請求項２０】
請求項１９のステーションであって、該ステーションは、
前記ＣＳＩ−ＲＳが、ＰＳＳ、ＳＳＳおよびＰＢＣＨの少なくとも１つにより使用されるリソース要素と相反する、特定のリソース要素上で、前記ＣＳＩ−ＲＳの送信をキャンセルするように構成されているキャンセルユニットをさらに含む、ステーション。
【請求項２１】
請求項１１のステーションであって、該ステーションは、ベースステーションである、ステーション。
【請求項２２】
命令を格納した非一時的でコンピューター読取り可能な記録媒体であって、該命令は、プロセッサにより実行された場合には、チャネル状態情報参照信号（ＣＳＩ−ＲＳ）の送信のために、直交周波数分割多重（ＯＦＤＭ）システムにおいてリソース要素を割り当てる方法を実行し、該方法は、
１つ以上のリソース要素を２次元周波数時間ドメインへ変換することと、
該１つ以上の変換されたリソース要素を物理的なリソースブロック（ＰＲＢ）のユニットに分割することと、
ＰＲＢの少なくとも一部分が信号により使用されているかどうか決定することと、
該ＰＲＢの少なくとも一部分が同時に使用されていない場合、該ＣＳＩ−ＲＳの送信のためのＰＲＢの少なくとも一部分を割り当てることと
を含む、媒体。
【請求項２３】
請求項２２のコンピューター読取り可能な記録媒体であって、１つのＰＲＢの時間ドメイン次元は、１つのサブフレームである、媒体。
【請求項２４】
請求項２２のコンピューター読取り可能な記録媒体であって、前記方法は、
セル固有参照信号（ＣＲＳ）、物理的ダウンリンク制御チャネル（ＰＤＣＣＨ）および復調参照信号（ＤＭＲＳ）の少なくとも１つを含み、規則的なダウンリンクサブフレームにおける前記ＣＳＩ−ＲＳに利用可能な前記リソース要素により決定されるリソース要素ロケーションで該ＣＳＩ−ＲＳを送信することをさらに含む、媒体。
【請求項２５】
請求項２２のコンピューター読取り可能な記録媒体であって、前記方法は、
ＣＲＳ、ＰＤＣＣＨ、一次同期信号（ＰＳＳ）、二次同期信号（ＳＳＳ）およびＤＭＲＳを含む周波数分割複信（ＦＤＤ）ダウンリンクサブフレームにおける前記ＣＳＩ−ＲＳに利用可能な前記リソース要素により決定されるリソース要素ロケーションで該ＣＳＩ−ＲＳを送信することをさらに含む、媒体。
【請求項２６】
請求項２４のコンピューター読取り可能な記録媒体であって、前記方法は、
単一周波数ネットワークを介したマルチメディア放送（ＭＢＳＦＮ）サブフレームとして構成されているダウンリンクサブフレームにおいて前記ＣＳＩ−ＲＳを送信することをさらに含む、媒体。
【請求項２７】
請求項２４のコンピューター読取り可能な記録媒体であって、前記方法は、
規則的な非ＭＢＳＦＮサブフレームとして構成されているダウンリンクサブフレームにおいて前記ＣＳＩ−ＲＳを送信することをさらに含む、媒体。
【請求項２８】
請求項２５のコンピューター読取り可能な記録媒体であって、前記方法は、
ＭＢＳＦＮサブフレームとして構成されているダウンリンクサブフレームにおいて前記ＣＳＩ−ＲＳを送信することをさらに含む、媒体。
【請求項２９】
請求項２５のコンピューター読取り可能な記録媒体であって、前記方法は、
規則的な非ＭＢＳＦＮサブフレームとして構成されているダウンリンクサブフレームにおいて前記ＣＳＩ−ＲＳを送信することをさらに含む、媒体。
【請求項３０】
請求項２４のコンピューター読取り可能な記録媒体であって、前記方法は、
前記ＣＳＩ−ＲＳが、ＰＳＳ、ＳＳＳ、物理的放送チャネル（ＰＢＣＨ）、システム情報ブロックタイプ１（ＳＩＢ１）およびページングの少なくとも１つにより使用されるリソース要素と相反する、サブフレームにおいて、全バンド幅に対しての送信をキャンセルすることをさらに含む、媒体。
【請求項３１】
請求項３０のコンピューター読取り可能な記録媒体であって、前記方法は、
前記ＣＳＩ−ＲＳが、ＰＳＳ、ＳＳＳ、ＰＢＣＨ、システムＳＩＢ１およびページングの少なくとも１つにより使用されるリソース要素と相反する、特定のリソース要素上で、該ＣＳＩ−ＲＳの送信をキャンセルすることをさらに含む、媒体。
【発明の詳細な説明】
【技術分野】
【０００１】
（関連出願に対する相互参照）
本願は、２０１０年２月１７日に出願された「Ｍｅｔｈｏｄｓ  ａｎｄ  Ｓｙｓｔｅｍｓ  ｆｏｒ  ＣＳＩ−ＲＳ  Ｔｒａｎｓｍｉｓｓｉｏｎ  ｉｎ  ＬＴＥ−Ａｄｖａｎｃｅ  Ｓｙｓｔｅｍｓ」というタイトルの米国仮特許出願第６１／３０５，５１２号に対する優先権を主張する。この内容は、本明細書に、参照することで全体的に組み込まれている。
【０００２】
（本発明の分野）
本発明は一般にワイヤレスコミュニケーションに関し、より具体的にはチャネル状態情報参照信号（ＣＳＩ−ＲＳ）をワイヤレスコミュニケーションシステムにおいて送信する方法に関する。
【背景技術】
【０００３】
（背景）
ワイヤレスコミュニケーションシステムにおいて、ダウンリンク参照信号は、通常は、マルチユーザスケジューリングに使用されるチャネル質測定のための参照と同様に、一貫した復調に使用されるチャネル概算のための参照を提供するために生成される。ＬＴＥ  Ｒｅｌ−８仕様書において、セル固有参照信号（ＣＲＳ）と呼ばれる１つの単一のタイプのダウンリンク参照フォーマットは、チャネル概算とチャネル質測定の両方に対して定義される。Ｒｅｌ−８  ＣＲＳの特徴は、使用者機器（ＵＥ）が実際に必要な複数のイン、複数のアウト（ＭＩＭＯ）チャネルランクに関わらず、ベースステーションが、ＭＩＭＯ層／ポートの最大数に基づいた全てのＵＥにＣＲＳを常に放送し得ることを含む。
【０００４】
３ＧＰＰ  ＬＴＥ  Ｒｅｌ−８システムにおいて、送信時間は１０ｍｓ長のフレームのユニットに分割され、さらにサブフレーム＃０からサブフレーム＃９まで名付けられた１０のサブフレームに均等に分割される。ＬＴＥ周波数分割複信（ＦＤＤ）システムは、各フレームに１０の連続したダウンリンクサブフレームおよび１０の連続したアップリンクサブフレームを有す一方で、ＬＴＥ時間分割複信（ＴＤＤ）システムは、複数のダウンリンク−アップリンク割り当てを有し、そのダウンリンクおよびアップリンクサブフレーム指定は表１に与えられる。ここでは、Ｄ、Ｕ、Ｓという文字は、対応するサブフレームを表し、それぞれダウンリンクサブフレーム、アップリンクサブフレーム、サブフレームの最初の部分におけるダウンリンク送信およびサブフレームの最後の部分におけるアップリンク送信を含む特別なサブフレームを参照する。
【０００５】
【表１】
2012514443.tif 000002
【０００６】
ＬＴＥの１つのシステム構成例（通常サイクルプレフィクスまたは通常ＣＰと呼ばれる）において、各サブフレームは、０から１３のインデックスを有する１４の均等持続時間シンボルを含む。１つの時間シンボル内の全バンド幅までの周波数ドメインリソースは、副搬送波に分割される。１つの物理的なリソースブロック（ＰＲＢ）は、長方形の２−Ｄ周波数時間リソースエリアに対して定義され、例えば図２に示されるように、周波数ドメインに対して１２の連続的な副搬送波、時間ドメインに対して１つのサブフレームをカバーし、１２＊１４＝１６８のリソース要素（ＲＥ）を有する。
【０００７】
各通常のサブフレームは２つの部分、ＰＤＣＣＨ（物理的ダウンリンク制御チャネル）領域およびＰＤＳＣＨ（物理的ダウンリンク共有チャネル）領域に分割される。ＰＤＣＣＨ領域は通常、サブフレームごとの最初のいくつかのシンボルを占め、ハンドセット特定制御チャネルを搬送する。ＰＤＳＣＨ領域は、サブフレームの残りを占め、汎用トラフィックを搬送する。ＬＴＥシステムは、以下のダウンリンク送信が義務的であることを要求する。
【０００８】
一次同期信号（ＰＳＳ）および二次同期信号（ＳＳＳ）：これら２つの信号は、全てのフレームで繰り返し、ＵＥが始動した後、最初の同期およびセル識別検知のために役立つ。ＰＳＳの送信は、通常のＣＰを有するＦＤＤシステムに対してサブフレーム｛０、５｝のシンボル＃６および、ＴＤＤシステムに対してサブフレーム｛１、６｝のシンボル＃２で発生する。ＳＳＳの送信は、通常のＣＰを有するＦＤＤに対してサブフレーム｛０、５｝のシンボル＃５および、通常のＣＰを有するＴＤＤに対してサブフレーム｛０、５｝のシンボル＃１３で発生する。
【０００９】
物理的放送チャネル（ＰＢＣＨ）：ＰＢＣＨも全てのフレームで繰り返し、不可欠なセル情報の放送のために機能する。その送信は、サブフレーム＃０の４つのシンボル｛７〜１０｝に対して発生する。
【００１０】
セル固有参照信号（ＣＲＳ）：ＣＲＳは、ダウンリンク信号強度測定および同じリソースブロックのＰＤＳＣＨの一貫した復調のために機能する。また、ＰＳＳおよびＳＳＳになされたセル識別の照合のために使用されることもある。ＣＲＳ送信は、各通常のサブフレームにおいて同じパターンを有し、通常のＣＰサブフレームの４つの送信アンテナポートの最大数を有するシンボル｛０、１、４、７、８、１１｝上に発生する。各ＣＲＳシンボルは、図２に示されるように、周波数ドメインにおいてリソースブロック次元ごとのポートごとの２つのＣＲＳ副搬送波を搬送する。
【００１１】
システム情報ブロック（ＳＩＢ）：ＳＩＢは、ＰＢＣＨに対して送信されない放送情報である。全てのハンドセットにより復号化される特定ＰＤＳＣＨで搬送される。ＬＴＥにおいて複数のタイプのＳＩＢがあり、ＳＩＢタイプ１（ＳＩＢ１）を除いて、ほとんどが構成的により長い送信サイクルを有する。ＳＩＢ１は全ての均等なフレームのサブフレーム＃５でスケジュール固定されている。ＳＩＢは、対応するＰＤＣＣＨに与えられたシステム情報ラジオネットワーク一時識別子（ＳＩ−ＲＮＴＩ）により識別されたＰＤＳＣＨにおいて送信される。
【００１２】
ページングチャネル（ＰＣＨ）：ページングチャネルは、アイドルモードのハンドセットをアドレスするため、またはＳＩＢにおける内容改変のようなシステムワイドなイベントをハンドセットに知らせるために使用される。ＬＴＥ  Ｒｅｌ−８において、ＰＣＨは、ＦＤＤに対する｛９｝、｛４，９｝および｛０、４、５、９｝およびＴＤＤに対する｛０｝、｛０、５｝、｛０、１、５、６｝からの構成選択セットからの任意のサブフレームに送られ得る。ＰＣＨは、対応するＰＤＣＣＨに与えられたページングＲＮＴＩ（Ｐ−ＲＮＴＩ）により識別されたＰＤＳＣＨにおいて送信される。
【００１３】
ＳＩＢおよびＰＣＨが、少なくとも６つのＰＲＢである全周波数バンド幅内の任意の部分において送信され得る一方で、ＰＳＳ／ＳＳＳ／ＰＢＣＨは、周波数ドメインにおける６つの中央ＰＲＢ内で送信されることが注記される。
【００１４】
図２に示される通常のサブフレームに加えて、ＬＴＥシステムは、また、１つの特別なサブフレームタイプ−単一周波数ネットワークを介したマルチメディア放送（ＭＢＳＦＮ）サブフレームを定義する。このタイプのサブフレームは、通常のデータトラフィックおよびＣＲＳをＰＤＳＣＨ領域から除外するために定義される。換言すると、このタイプのサブフレームは、例えば、ゼロ送信領域を識別するために、ベースステーションにより使用され得、ハンドセットはこの領域内のＣＲＳを検索しようとしない。ＦＤＤにおけるダウンリンクサブフレーム｛１、２、３、６、７、８｝およびＴＤＤにおけるダウンリンクサブフレーム｛３、４、７、８、９｝は、ＭＢＳＦＮサブフレームとして構成され得る。本開示において、これらのサブフレームはＭＢＳＦＮ使用可能サブフレームと名付けられ、一方で残りのダウンリンクサブフレームは非ＭＢＳＦＮ使用可能サブフレームと呼ばれ得る。不可欠なダウンリンク信号および上記で述べたチャネル（例えば、ＰＳＳ／ＳＳＳ、ＰＢＣＨ、ＳＩＢおよびＰＣＨ）のほとんどは非ＭＢＳＦＮ使用可能サブフレームで送信される。
【００１５】
サポートされたアンテナポート（８まで）の多大な数に起因して、３ＧＰＰ  ＬＴＥはＲｅｌ−８からＲｅｌ−１０（またＬＴＥ−ａｄｖａｎｃｅまたはＬＴＥ−Ａと呼ばれる）へ発展したが、全てのポート上にＣＲＳのような参照信号を供給するためには多大な製造間接費がかかり得る。ダウンリンク参照信号役割を以下の異なるＲＳ信号送信に分離することが合意される。
【００１６】
復調参照信号（ＤＭＲＳ）：このタイプのＲＳは、一貫したチャネル概算のために使用され、十分な密度を有し、ＵＥごとに送られるべきである。
【００１７】
チャネル状態情報参照信号（ＣＳＩ−ＲＳ）：このタイプのＲＳは、全てのＵＥによるチャネル質測定のために使用され、周波数時間ドメインに対してインプリメントされ得る。
【００１８】
以下のことが３ＧＰＰ標準体において同意される。各ＰＲＢにおけるＤＭＲＳパターンは、図２に示されるように２４ＲＥに配置されるように決定されること；ＣＳＩ−ＲＳ  ＲＥはＰＤＣＣＨおよびＲｅｌ−８  ＣＲＳを搬送するシンボルに割り当てられ得ないこと（つまり、ＣＳＩ−ＲＳは、図２で、「アンテナポートｋ上のＣＲＳ  ＲＥ」および「ＣＲＳシンボル上のＤａｔａ  ＲＥ」と名付けられたシンボル上のＲＥに割り当てられ得ないこと）；ＣＳＩ−ＲＳは、Ｒｅｌ−８  ＵＥによりＰＳＳ／ＳＳＳまたはＰＢＣＨと解釈されないリソース要素に挿入され得るに過ぎないこと；同じＣＳＩ−ＲＳパターンが非ＭＢＳＦＮサブフレームとＭＢＳＦＮサブフレーム間で望まれること。換言すれば、ＣＳＩ−ＲＳパターンは、非ＭＢＳＦＮサブフレームで利用可能なリソースに基づいてデザインされること；セルごとのＣＳＩ−ＲＳ送信サイクルは、５ｍｓの整数倍であり、セルごとの全てのポートに対するＣＳＩ−ＲＳ  ＲＥのサイクルごとの送信は、単一のサブフレーム内で実行されること；ＮＡＮＴはセルごとのＣＳＩ−ＲＳアンテナポートの数として示されること。ＣＳＩ−ＲＳの平均密度はＮＡＮＴ∈｛２、４、８｝に対するＰＲＢごとのアンテナポートごとの１つのＲＥであること。
【００１９】
これらの合意に基づいて、本開示は、以下の説明を考慮して明らかになる他の特徴の中で、ＣＳＩ−ＲＳ信号を割り当てるさらなる原理と方法を提供する。ソフトウェアおよびハードウェアにおけるセル識別方法の、これらおよび他のインプリメンテーションおよび例は、添付の図面および詳細な説明でさらに詳細に説明される。
【発明の概要】
【発明が解決しようとする課題】
【００２０】
（発明の概要）
本明細書で開示される実施形態は、添付の図面に関連してみたとき、以下の詳細な説明を参照することにより容易に明らかとなる追加の特徴を提供することとならび、先行技術で示された１つ以上の課題に関する問題を解決することに関する。
【課題を解決するための手段】
【００２１】
１つの実施形態は、ＣＳＩ−ＲＳの送信に対する直交周波数分割多重（ＯＦＤＭ）システムにおけるリソース要素を割り当てる方法に関する。方法は、１つ以上のリソース要素を２次元周波数時間ドメインへ変換することを含む。１つ以上の変換されたリソース要素は、次いで、物理的なリソースブロック（ＰＲＢ）のユニットに分割され得、これは、例えば、１つのサブフレームであり得る。ＰＲＢの少なくとも一部が別の信号により使用されているかどうかを決定し得る。ＰＲＢの少なくとも一部が同時に使用されていない場合、ＣＳＩ−ＲＳの送信のために割り当てられ得る。
【００２２】
ＣＳＩ−ＲＳは、例えば、通常またはＦＤＤダウンリンクサブフレームにおけるＣＳＩ−ＲＳに利用可能なリソース要素により決定されるリソース要素ロケーションで送信され得る。ＣＳＩ−ＲＳは、ＭＢＳＦＮまたは非ＭＢＳＦＮサブフレームとして構成されているダウンリンクサブフレームにおいて送信され得る。
【００２３】
他の実施形態は、ＣＳＩ−ＲＳの送信のためのＯＦＤＭシステムにおいてリソース要素を割り当てるように構成されているステーションに関する。ステーションは、１つ以上のリソース要素を２次元周波数時間ドメインへ変換するように構成されている変換ユニットを含む。ステーションは、１つ以上の変換されたリソース要素をＰＲＢのユニットへ分割するように構成されている分割ユニット；ＰＲＢの少なくとも一部が信号により使用されているかどうかを決定するように構成されている決定ユニット；ＰＲＢの少なくとも一部が同時に使用されていない場合、ＣＳＩ−ＲＳの送信のためにＰＲＢの少なくとも一部を割り当てるように構成されている割り当てユニットをさらに含む。ある実施形態に従って、ステーションはベースステーションである。しかし、当業者は、ワイヤレスコミュニケーションシステム内の任意のステーションが前記の機能性を含み得ることに気付く。
【００２４】
さらに別の実施形態は、プロセッサにより実行されたときは、ＣＳＩ−ＲＳの送信のためのＯＦＤＭシステムにおいてリソース要素を割り当てる方法を実行する、非一時的なコンピューター読取り可能な命令を格納している記録媒体に関する。方法は、１つ以上のリソース要素を２次元周波数時間ドメインに変換することを含む。１つ以上の変換されたリソース要素は、次いで物理的なリソースブロック（ＰＲＢ）のユニットへ分割され得、それは例えば１つのサブフレームであり得る。ＰＲＢの少なくとも一部が別の信号により使用されているかどうか決定され得る。ＰＲＢの少なくとも一部が同時に使用されていない場合、ＣＳＩ−ＲＳの送信のために割り当てられ得る。
【００２５】
本開示のさまざまな実施形態の構造と作動と、本開示のさらなる特徴および利点が、添付の図面に関して下記で詳細に説明される。
【図面の簡単な説明】
【００２６】
（図面の簡単な説明）
１つ以上のさまざまな実施形態に従って、本開示は、以下の図に関して詳細に説明される。図面は、描写の目的のみのために提供され、本開示の例示的な実施形態を描写するに過ぎない。これらの図面は、読者の本開示の理解を促進するために提供され、本開示の幅、範囲または適用可能性を限定すると考えられるべきではない。描写の明確性および容易さのため、これらの図面は必ずしも一定の縮尺比で作成されてはいないことは注記されるべきである。
【図１】図１は、実施形態に従って、送信および送信を受信する例示的なワイヤレスコミュニケーションシステムを示している。
【図２】図２は、実施形態に従って、ＣＲＳおよびＤＭＲＳを有する物理的なリソースブロックを描写している。
【図３】図３は、実施形態に従って、ＦＤＤにおけるＣＲＳ、ＰＳＳ／ＳＳＳおよびＰＢＣＨを有するサブフレーム＃０の物理的なリソースブロックを描写している。
【図４】図４は、実施形態に従って、ＴＤＤにおけるＣＲＳ、ＳＳＳおよびＰＢＣＨを有するサブフレーム＃０の物理的なリソースブロックを描写している。
【図５】図５は、実施形態に従って、さまざまな形およびサイズを有するＣＳＩ−ＲＳ  ＲＥグループの例を描写している。
【図６】図６は、実施形態に従って、Ｎ＝３に対してＣＲＳおよびＤＭＲＳを有する物理的なリソースブロックを描写している。
【図７】図７は、実施形態に従って、Ｎ＝３に対して、ＦＤＤにおけるＣＲＳ、ＰＳＳ／ＳＳＳおよびＰＢＣＨを有するサブフレーム＃０の物理的なリソースブロックを描写している。
【図８Ａ】図８Ａおよび図８Ｂは、実施形態に従って、Ｎ＝６に対してＣＲＳおよびＤＭＲＳを有する物理的なリソースブロックの割り当てのための例示的なオプションを示している。
【図８Ｂ】図８Ａおよび図８Ｂは、実施形態に従って、Ｎ＝６に対してＣＲＳおよびＤＭＲＳを有する物理的なリソースブロックの割り当てのための例示的なオプションを示している。
【図９Ａ】図９Ａおよび図９Ｂは、実施形態に従って、Ｎ＝６に対して、ＦＤＤにおけるＣＲＳ、ＰＳＳ／ＳＳＳおよびＰＢＣＨを有するサブフレーム＃０の物理的なリソースブロックの割り当てのための例示的オプションを示している。
【図９Ｂ】図９Ａおよび図９Ｂは、実施形態に従って、Ｎ＝６に対して、ＦＤＤにおけるＣＲＳ、ＰＳＳ／ＳＳＳおよびＰＢＣＨを有するサブフレーム＃０の物理的なリソースブロックの割り当てのための例示的オプションを示している。
【発明を実施するための形態】
【００２７】
（例示的実施形態の詳細な説明）
以下の説明は、当業者が本発明を作製および使用することを可能にするために示される。特定のデバイス、技術および用途の説明は、例としてのみ提供される。本明細書で説明される例に対するさまざまな改変が、当業者にとっては容易に明確になり、本明細書で定義される一般原則は、本発明の精神および範囲を逸脱することなしに、他の例および応用に適用され得る。そのため、本発明は本明細書で説明され、示される例に限定する意図ではなく、特許請求の範囲に矛盾しない範囲に従う。
【００２８】
「例示的」という言葉は、本明細書では「例または実例としてふるまう」ことを意味するために使用される。本明細書で「例示的」として説明される任意の側面またはデザインは、他の側面またはデザインに対して好ましいかまたは好都合であると必ずしも解釈されない。
【００２９】
ここで主題の技術の側面を詳細に参照すると、その例は添付の図に描写されていて、類似の参照番号は一貫して類似の要素に言及している。
【００３０】
本明細書で開示される処理におけるステップの特定の順または階層は、例示的アプローチの一例であることは理解されるべきである。デザインの好ましさに基づいて、処理におけるステップの特定の順または階層は、本開示の範囲内に維持される一方で、再アレンジされ得ることは理解されるべきである。添付の方法は、サンプルの順におけるさまざまなステップの本要素を主張し、示される特定の順または階層に限定される意味ではない。
【００３１】
図１は、本開示の一実施形態に従って、送信および送信を受信する例示的ワイヤレスコミュニケーションシステム１００を示す。システム１００は、本明細書で詳細に説明する必要がない公知または従来の作動特徴をサポートするように構成されているコンポーネントおよび要素を含み得る。システム１００は一般的に、ベースステーショントランシーバーモジュール１０３、ベースステーションアンテナ１０６、ベースステーションプロセッサモジュール１１６およびベースステーションメモリモジュール１１８を有するベースステーション１０２を備える。システム１００は一般的に、モバイルステーショントランシーバーモジュール１０８、モバイルステーションアンテナ１１２、モバイルステーションメモリモジュール１２０、モバイルステーションプロセッサモジュール１２２およびネットワークコミュニケーションモジュール１２６を有するモバイルステーション１０４を備える。当然、ベースステーション１０２とモバイルステーション１０４の両方は、本発明の範囲を逸脱することなしに、追加または代替のモジュールを含み得る。さらに、１つだけのベースステーション１０２および１つだけのモバイルステーション１０４が例示的システム１００において示されているが、任意の数のベースステーション１０２およびモバイルステーション１０４が含まれ得る。
【００３２】
システム１００のこれらおよび他の要素は、データコミュニケーションバス（例えば、１２８、１３０）または任意の適切な相互接続配列を用いて、一緒に相互接続され得る。そのような相互接続は、ワイヤレスシステム１００のさまざまな要素間のコミュニケーションを促進する。当業者は、本明細書で開示される実施形態に関連して説明される、さまざまな例示的ブロック、モジュール、回路および処理ロジックが、ハードウェア、コンピューター読取り可能なソフトウェア、ファームウェアまたはそれらの任意の実用的な組み合わせにおいてインプリメントされ得ることを理解する。ハードウェア、ファームウェアおよびソフトウェアのこの交換可能性および互換性を明確に描写するために、さまざまな例示的コンポーネント、ブロック、モジュール、回路およびステップが、一般的にその機能性の点から説明される。そのような機能性がハードウェア、ファームウェアまたはソフトウェアとしてインプリメントされるかどうかは、システム全体に課された特定の用途およびデザイン制限に依存する。本明細書で説明される概念に精通する者は、そのような機能性を各特定の用途に対して適切な方法でインプリメントし得るが、そのようなインプリメンテーションの決定は、本発明の範囲からの逸脱を生じさせるものとして解釈されるべきではない。
【００３３】
例示的システム１００において、ベースステーショントランシーバー１０３、モバイルステーショントランシーバー１０８は、それぞれ、送信器モジュールおよび受信器モジュール（示されていない）を備える。加えて、この図には示されていないが、当業者は、送信器が１つを超える受信器に送信し得ることと、複数の送信器が同じ受信器に送信し得ることとを認識する。ＴＤＤシステムにおいて、送信から受信へ、およびその逆の移行に対して保護するためのガードバンドとして、送信および受信のタイミングギャップが存在する。
【００３４】
図１に描写される特定の例示的システムにおいて、「アップリンク」トランシーバー１０８は、アンテナをアップリンク受信器と共有する送信器を含む。デュプレックススイッチは、アップリンク送信器またはアップリンク受信器を時間二重方式（ｔｉｍｅ  ｄｕｐｌｅｘ  ｆａｓｈｉｏｎ）で交互にアップリンクアンテナに連結し得る。同様に、「ダウンリンク」トランシーバー１０３は、ダウンリンクアンテナをダウンリンク送信器と共有する受信器を含む。ダウンリンクデュプレックススイッチは、ダウンリンク送信器またはダウンリンク受信器を時間二重方式で交互にダウンリンクアンテナに連結し得る。
【００３５】
モバイルステーショントランシーバー１０８およびベースステーショントランシーバー１０３は、ワイヤレスデータコミュニケーションリンク１１４を介してコミュニケーションするように構成されている。モバイルステーショントランシーバー１０８およびベースステーショントランシーバー１０２は、特定のワイヤレスコミュニケーションプロトコルおよび変調スキームをサポートし得る、適切に構成されたＲＦアンテナ配列１０６／１１２と協同する。例示的実施形態において、モバイルステーショントランシーバー１０８およびベースステーショントランシーバー１０２はＴｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（３ＧＰＰ  ＬＴＥ）、Ｔｈｉｒｄ  Ｇｅｎｅｒａｔｉｏｎ  Ｐａｒｔｎｅｒｓｈｉｐ  Ｐｒｏｊｅｃｔ  ２  Ｕｌｔｒａ  Ｍｏｂｉｌｅ  Ｂｒｏａｄｂａｎｄ（３Ｇｐｐ２  ＵＭＢ）、Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ（ＴＤ−ＳＣＤＭＡ）およびＷｉｒｅｌｅｓｓ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）などのような産業基準をサポートするように構成されている。モバイルステーショントランシーバー１０８およびベースステーショントランシーバー１０２は、８０２．１６ｅ、８０２．１６ｍなどのようなＩＥＥＥ  ８０２．１６の今後のバリエーションを含む、代替または追加のワイヤレスデータコミュニケーションプロトコルをサポートするように構成され得る。
【００３６】
ある実施形態に従って、ベースステーション１０２は、ラジオリソース指定および割り当てを制御し、モバイルステーション１０４は、分配プロトコルを復号化し、解釈するように構成されている。例えば、複数のモバイルステーション１０４が、１つのベースステーション１０２により制御される同じラジオチャンネルを共有しているシステムにおいて、そのような実施形態が採用される。しかし、代替の実施形態において、モバイルステーション１０４は特定のリンクに対するラジオリソースの分配を制御し、本明細書で説明されるようなラジオリソースコントローラーまたは分配器の役割をインプリメントし得る。
【００３７】
プロセッサモジュール１１６／１２２は、汎用プロセッサ、コンテントアドレッサブルメモリ、デジタル信号プロセッサ、特定用途向け集積回路、フィールドプログラマブルゲートアレイ、任意の適切なプログラマブルロジックデバイス、不連続ゲートまたはトランジスタロジック、不連続ハードウェアコンポーネント、または本明細書で説明される機能を行うようにデザインされたそれらの任意の組み合わせと共に、インプリメントまたは実現され得る。この方法で、プロセッサは、マイクロプロセッサ、コントローラー、マイクロコントローラー、ステートマシーンなどとして実現され得る。プロセッサは、例えばデジタル信号プロセッサおよびマイクロプロセッサ、複数のマイクロプロセッサ、デジタル信号プロセッサコアに関連した１つ以上のマイクロプロセッサ、または任意の他のそのような構成の組み合わせのようなコンピュータデバイスの組合せとして、また、インプリメントされ得る。プロセッサモジュール１１６／１２２は、システム１００の作動に関連付けられた機能、技術および処理タスクを実行するように構成されている処理ロジックを備える。特に、処理ロジックは、本明細書で説明されるフレームストラクチャーパラメータをサポートするように構成されている。実用的な実施形態において、処理ロジックは、ベースステーションに常駐であり得るか、かつ／またはベースステーショントランシーバー１０３とコミュニケーションするネットワークアーキテクチャーの一部であり得る。
【００３８】
本明細書で開示される実施形態に関連して説明される方法またはアルゴリズムのステップは、ハードウェア、ファームウェア、プロセッサモジュール１１６／１２２により実行されるソフトウェアモジュールまたはそれらの任意の実用的な組み合わせにおいて直接実施され得る。ソフトウェアモジュールはメモリモジュール１１８／１２０に常駐し得、メモリモジュールはＲＡＭメモリ、フラッシュメモリ、ＲＯＭメモリ、ＥＰＲＯＭメモリ、ＥＥＰＲＯＭメモリ、レジスター、ハードディスク、リムーバブルディスク、ＣＤ−ＲＯＭ、または当業者に公知の任意の他の格納媒体の形態として実現され得る。これに関して、メモリモジュール１１８／１２０は、プロセッサモジュール１１６／１２０がメモリモジュール１１８／１２０から情報を読み込め、かつ情報を書き込めるように、プロセッサモジュール１１８／１２２にそれぞれ連結され得る。例として、プロセッサモジュール１１６、メモリモジュール１１８、プロセッサモジュール１２２およびメモリモジュール１２０は、それぞれのＡＳＩＣに常駐し得る。メモリモジュール１１８／１２０は、また、プロセッサモジュール１１６／１２０に統合され得る。実施形態において、メモリモジュール１１８／２２０は、プロセッサモジュール１１６／２２２により実行される命令の実行の間、一時的な変数または他の中間情報を格納するためのキャッシュメモリを含み得る。メモリモジュール１１８／１２０は、また、プロセッサモジュール１１６／１２０により実行される命令を格納するための不揮発性メモリを含み得る。
【００３９】
メモリモジュール１１８／１２０は、本発明の例示的実施形態に従って、フレームストラクチャーデータベース（示されていない）を含み得る。フレームストラクチャーパラメータデータベースは、下記で説明される方法で、システム１００の機能性をサポートするのに必要なものとしてデータを格納、維持および提供するように構成され得る。さらに、フレームストラクチャーデータベースは、プロセッサ１１６／１２２に連結されたローカルデータベースであり得るか、または例えばリモートデータベース、中心ネットワークデータベースなどであり得る。フレームストラクチャーデータベースは、制限なく、下記で説明されるようにフレームストラクチャーパラメータを維持するように構成され得る。この方法により、フレームストラクチャーデータベースは、フレームストラクチャーパラメータを格納する目的のためのルックアップテーブルを含み得る。
【００４０】
ネットワークコミュニケーションモジュール１２６は、一般的に、ハードウェア、ソフトウェア、ファームウェア、処理ロジック、および／またはベースステーショントランシーバー１０３とベースステーショントランシーバー１０３が接続されているネットワークコンポーネントとの間の２方向コミュニケーションを可能にするシステム１００の他のコンポーネントを表す。例えば、ネットワークコミュニケーションモジュール１２６は、インターネットまたはＷｉＭＡＸトラフィックをサポートするように構成され得る。典型的な配置において、ネットワークコミュニケーションモジュール１２６は、ベースステーショントランシーバー１０３が、コンピューターネットワークに基づいた従来のＥｔｈｅｒｎｅｔ（登録商標）とコミュニケーションし得るために、制限なしに８０２．３  Ｅｔｈｅｒｎｅｔ（登録商標）インターフェイスを提供する。この方法により、ネットワークコミュニケーションモジュール１２６は、コンピューターネットワーク（例えばモバイルスイッチングセンター（ＭＳＣ））に接続するための物理的なインターフェイスを含み得る。
【００４１】
本開示で説明される機能は、ベースステーション１０２またはモバイルステーション１０４のどちらかにより実行され得ることが注記される。モバイルステーション１０４は、携帯電話のような任意の使用者デバイスであり得、モバイルステーションはまた、ＵＥと呼ばれ得る。
【００４２】
本明細書で開示される実施形態は、特定の用途を有するが、第４世代ワイヤレスシステムのための候補の１つであるロングタームエボリューション（ＬＴＥ）システムに限定されない。１つの実施形態に従って、例えば３ＧＰＰ  ＬＴＥ−Ａに対して、ＣＳＩ−ＲＳは、通常またはＭＢＳＦＮサブフレームの非ＰＤＣＣＨ領域において、１つ以上のＣＲＳフリーシンボルにより搬送され得る。ある実施形態において、ＣＳＩ−ＲＳは、Ｒｅｌ−８  ＰＳＳ／ＳＳＳまたはＰＢＣＨにより既に占有されるリソースエレメント（ＲＥ）に挿入されない場合がある。例示的実施形態に従って、ＣＳＩ−ＲＳが、例えばサブフレーム＃５で送られたＳＩＢ１と、構成されたサブセットまたは全ての非ＭＢＳＦＮ使用可能サブフレームのフルセットから任意のサブフレームへ送られ得るＰＣＨとに干渉させないことも、また、可能である。したがって、当業者は、ＣＳＩ−ＲＳ送信のために利用可能なロケーションに対していくつかオプションがあり得ることに気付く。下記はさまざまな例示的オプションである。
【００４３】
例示的オプションａ
１つの実施形態に従って、ＣＳＩ−ＲＳは、ＣＳＩ−ＲＳが例えばＦＤＤに対するサブフレーム｛０、４、５、９｝およびＴＤＤに対するサブフレーム｛０、１、５、６｝に送信されないために、ＭＢＳＦＮサブフレームとして構成されるダウンリンクサブフレーム内に送信され得る。この実施形態に従って、より多くの利用可能なＰＲＢにつきＲＥがあり得、そのためより大きなＣＳＩ−ＲＳ再利用ファクターを提供する。ＣＳＩ−ＲＳは、エッセンシャルシステム信号および共通制御チャネルから衝突フリーであり得る。
【００４４】
しかし、ＭＢＳＦＮサブフレームは、Ｒｅｌ−８  ＰＤＳＣＨに利用不可能なシステムリソースの大きなパーセンテージを維持し得る。あるＴＤＤアップリンク−ダウンリンク割り当て（例えば、ＴＤＤ割り当て＃０）におけるＣＳＩ−ＲＳ送信に対してのＭＢＳＦＮサブフレームとして構成され得るサブフレームが限定的な数または全くないことすらあり得る。
【００４５】
例示的オプションｂ
１つの実施形態に従って、ＣＳＩ−ＲＳは、ＦＤＤに対するサブフレーム｛０、４、５、９｝およびＴＤＤに対するサブフレーム｛０、１、５、６｝に送信されない場合がある。しかし、例示的オプションｂは、ＭＢＳＦＮ能力を有するが、ＭＢＳＦＮサブフレームとして構成されていないダウンリンクサブフレームにＣＳＩ−ＲＳが送られることを可能にする。
【００４６】
したがって、Ｒｅｌ−８  ＰＤＳＣＨに対するシステムワイドリソースプールは影響されない。ＣＳＩ−ＲＳは、エッセンシャルシステム信号および共通制御チャネルから衝突フリーである。しかし、サブフレーム｛０、１、５、６｝を除外して、あるＴＤＤアップリンク−ダウンリンク割り当て（例えば、ＴＤＤ割り当て＃０）におけるＣＳＩ−ＲＳ送信に対して利用可能なダウンリンクサブフレームが限定的な数または全くないことすらあり得る。
【００４７】
例示的オプションｃ
１つの実施形態に従って、ＣＳＩ−ＲＳは、ＦＤＤおよびＴＤＤにおける任意のダウンリンクサブフレーム内に送信され得る。ＰＳＳ／ＳＳＳ／ＰＢＣＨ／ＳＩＢ１／ページングにより使用されるＲＥとの衝突の場合、そのＲＥ上のＣＳＩ−ＲＳは送信されないか、またはそのリソース割り当てが、ＰＳＳ／ＳＳＳ／ＰＢＣＨ／ＳＩＢ１／ページングを完全に避ける。つまり、ＲＥは、ＰＳＳ／ＳＳＳ／ＰＢＣＨ／ＳＩＢ１／ページングにより使用されていない別のリソースに再割り当てされ得る。
【００４８】
この実施形態に従って、ＣＳＩ−ＲＳ送信は、全てのＴＤＤ割り当てにおいて実行可能である。しかし、ＰＳＳ／ＳＳＳ／ＰＢＣＨ／ページングとの衝突がある場合、ＣＳＩ−ＲＳは失われ得る。ＣＳＩ−ＲＳサイクルが１０ｍｓと等しい場合、例えば６つの中央ＰＲＢ内で、そのようなＣＳＩ−ＲＳ損失はＣＳＩ−ＲＳに対して周期的または不断ですらあり得る。ＣＳＩ−ＲＳが、例えばＲｅｌ−１０  ＤＭＲＳを搬送し得るシンボル内に送信されない場合、ＰＳＳ／ＳＳＳとの衝突はさけ得るということが注記される。
【００４９】
対応するサブフレームにおけるセル内間ＣＳＩ−ＲＳを計測する前に、ＳＩＢ１およびＰＣＨに対して割り当てられたリソースを決定するために、ＵＥは、ＳＩ−ＲＮＴＩまたはＰ−ＲＮＴＩを有するＰＤＣＣＨを探索および復号化する必要があり得る。しかし、ＵＥが、例えばセル間ＣＳＩ−ＲＳを計測する必要がある場合、隣接するセルにおいて、ＣＳＩ−ＲＳとＳＩＢ１／ＰＣＨ間の衝突状況をＵＥが知ることは困難であり得る。
【００５０】
例示的オプションｄ
１つの実施形態に従って、ＳＩＢ１およびＰＣＨを送信するサブフレームを除いて、ＣＳＩ−ＲＳはＦＤＤおよびＴＤＤ内の任意のサブフレームに送信され得る。ＰＳＳ／ＳＳＳ／ＰＢＣＨにより使用されるＲＥとの衝突の場合、そのＲＥ上のＣＳＩ−ＲＳは送信されない場合があるか、またはそのリソース割り当ては、ＰＳＳ／ＳＳＳ／ＰＢＣＨを完全に避け得る。つまり、ＲＥは、ＰＳＳ／ＳＳＳ／ＰＢＣＨにより使用されていな別のリソースへ再割り当てされ得る。
【００５１】
この実施形態に従って、例示的オプションｃと比較すると、例示的オプションｄは、ＵＥが隣接するセルにおけるＣＳＩ−ＲＳを計測することを可能にする。しかし、隣接するセルにおいてＰＣＨを搬送するサブフレームにおける存在しないセル間ＣＳＩ−ＲＳの計測を避けるために、ＵＥは、まだ、隣接するセルにおけるページングオケージョン（ＰＯ）構成を知る必要があり得る。
【００５２】
デザイン特徴に依存して、上記の４つの例示的オプションの中で、オプションｄがＴＤＤに対してより良い選択であり得る一方で、オプションｂおよびオプションｄはＦＤＤに対してより良い選択であり得る。
【００５３】
例えば、オプションｂにおいて、ＣＳＩ−ＲＳは、ＦＤＤに対するダウンリンクＭＢＳＦＮ使用可能サブフレーム｛１、２、３、６、７、８｝およびＴＤＤに対するダウンリンクＭＢＳＦＮ使用可能サブフレーム｛３、４、７、８、９｝に送信され得る。これらのサブフレーム内で、ＣＳＩ−ＲＳ送信に対する各々ＰＲＢで利用可能なリソースが、図２において、空のＲＥにより示され、この実施形態に従って、ＣＳＩ−ＲＳおよびＤＭＲＳが同じシンボルに送られ得る場合、リソースはＰＲＢにつきＺ＝６０  ＲＥとなるか、またはＣＳＩ−ＲＳおよびＤＭＲＳが同じシンボルに送られ得ない場合、リソースはＰＲＢにつきＺ＝３６  ＲＥとなる。
【００５４】
例えば、オプションｄにおいて、ＦＤＤとＴＤＤの両方における任意のＭＢＳＦＮ使用可能ダウンリンクサブフレームは、これらのサブフレームのいずれかがＭＢＳＦＮサブフレームとして構成されているかどうかに関係なく、ＣＳＩ−ＲＳ送信のために用いられ得る。これらのサブフレームに対して、ＣＳＩ−ＲＳ送信に利用可能なＰＲＢごとのＲＥの数は、オプションｂ（図２参照）と同じであり得、ＣＳＩ−ＲＳおよびＤＭＲＳが同じシンボルに置かれ得るかどうかに依存して、Ｚ＝６０またはＺ＝３６により与えられ得る。非ＭＢＳＦＮ使用可能サブフレームに関しては、ＣＳＩ−ＲＳおよびＰＳＳ／ＳＳＳ／ＰＢＣＨ間の例示的に可能な衝突が以下にまとめられる。
【００５５】
ＦＤＤにおけるＰＳＳ／ＳＳＳ／ＰＢＣＨとの潜在的な衝突は、例えば図３に示されるようなサブフレーム＃０における６つの中央ＰＲＢにおいて起こり得る。図３は、実施形態に従って、ＦＤＤにおいてＣＲＳ、ＰＳＳ／ＳＳＳおよびＰＢＣＨを有するサブフレーム＃０における物理的なリソースブロックを描写する。ＣＳＩ−ＲＳ送信に対して利用可能なＺ＝３６  ＲＥがあり得る。
【００５６】
ＦＤＤにおけるＰＳＳ／ＳＳＳ／ＰＢＣＨとの潜在的な衝突は、図４に示されるようなサブフレーム＃０における６つの中央ＰＲＢにおいて起こり得る。図４は、実施形態に従って、ＴＤＤにおいてＣＲＳ、ＳＳＳおよびＰＢＣＨを有するサブフレーム＃０における物理的なリソースブロックを描写する。しかし、サブフレーム＃０は、この実施形態に従ってＰＣＨを搬送する潜在的なサブフレームで常にあるので、ＣＳＩ−ＲＳは、例えば、ＴＤＤにおけるサブフレーム＃０に送られることは推奨され得ない。
【００５７】
オプションｄでＣＳＩ−ＲＳ送信を可能にする他の非ＭＢＳＦＮ使用可能サブフレームは、実施形態に従って、図２に示されるように、同じリソース利用可能性を有し得る。
【００５８】
ＣＳＩ−ＲＳ送信に利用可能なフリーＲＥの数とパターンに従って、これらのＲＥは、等しい数（Ｎ）のＲＥを含むグループに分割され得る。各グループは、Ｎ隣接フリーＲＥまたはＮ別離フリーＲＥのどちらかを含み得、セルにつき１つのポートに対してＣＳＩ−ＲＳ  ＲＥを有し得る。そのため、グループの最大全数はＧＭＡＸ＝Ｚ／Ｎとして計算され、セルごとのＣＳＩ−ＲＳアンテナポートの全数と同数になり得る。ＬＴＥ  Ｒｅｌ８におけるセル識別（ＰＣＩＤ）がＣＲＳロケーション区分上にｍｏｄｕｌｏ−６作動を有し、通常のセルラー方式のレイアウトが互いに隣接する３つのセルを有するということを仮定すると、この例示的な実施形態に従って、Ｎは６または３であり得る。
【００５９】
ＲＥに隣接したＮ｛３、６｝を有するＣＳＩ−ＲＳ  ＲＥグループの例示的な形およびサイズは図５に示される。図５に描写されるように、各グループの異なるＲＥは、異なるセルからのＣＳＩ−ＲＳポートに割り当てられ得る。
【００６０】
図６は、実施形態に従って、Ｎ＝３に対してＣＲＳおよびＤＭＲＳを有する物理的なリソースブロックを描写する。図７は、実施形態に従って、Ｎ＝３の場合のＦＤＤにおいてＣＲＳ、ＰＳＳ／ＳＳＳおよびＰＢＣＨを有するサブフレーム＃０における物理的なリソースブロックを描写する。図６および図７に示されるように、Ｎ＝３の場合、通常の非ＭＢＳＦＮ使用可能サブフレーム、ＦＤＤにおけるサブフレーム＃０のそれぞれに対して、隣接する全てのＲＥは１つのＣＳＩ−ＲＳ  ＲＥグループを構築し得る。
【００６１】
図８Ａおよび図８Ｂは、実施形態に従って、Ｎ＝６に対するＣＲＳおよびＤＭＲＳを有する物理的なリソースブロックの割り当てのための例示的オプションを示す。図９Ａおよび図９Ｂは、実施形態に従って、Ｎ＝６の場合、ＦＤＤにおいてＣＲＳ、ＰＳＳ／ＳＳＳおよびＰＢＣＨを有するサブフレーム＃０における物理的なリソースブロックの割り当てに対する例示的なオプションを示す。図８Ａ〜図８Ｂおよび図９Ａ〜図９Ｂにおいて示されるように、例えばＮ＝６の場合、通常の非ＭＢＳＦＮ使用可能サブフレーム、ＦＤＤにおけるサブフレーム＃０に対してそれぞれ、全ての６つの隣接ＲＥが１つのＣＳＩ−ＲＳ  ＲＥグループを構築し得る。さらに、例示的な実施形態に従って、図８Ａ〜図８Ｂおよび図９Ａ〜図９Ｂに示されるように、グループごとの６つの「隣接する」ＲＥを定義する際、２つのオプションがあり得る。
【００６２】
本開示はＮの値を制限するものではないことが注記される。（４、８のような）他の値も本開示の範囲内である。さらに、図６〜図９は、ＣＳＩ−ＲＳ  ＲＥグループの例示的な構成を示すに過ぎない。グループごとのＮ  ＲＥは互いに隣接または互いに別離のどちらかであり得ることは注記される。ＣＳＩ−ＲＳ  ＲＥグループのインデックスは、また、図６〜図９に示される順である必要はなく、インデックスは、例えば、同じタイプのサブフレームにおける全てのＰＲＢに渡り同一であり得る。
【００６３】
加えて、全てのＣＳＩ−ＲＳ  ＲＥグループがＣＳＩ−ＲＳを搬送するために使用される必要があるわけではない。ＣＳＩ−ＲＳ  ＲＥグループの実際の数は、Ｇ≦ＧＭＡＸに対するＧとして示される。例えば、同じ時間シンボルをＤＭＲＳと共有するＣＳＩ−ＲＳ  ＲＥグループは、例えば、ＣＳＩ−ＲＳ送信には使用され得ない。その場合、ＣＳＩ−ＲＳ  ＲＥグループＧの数は、３６／Ｎと等しくなり得る。
【００６４】
例えば、ＤＭＲＳ  ＲＥが同じシンボルでＣＳＩ−ＲＳ  ＲＥと一緒に使用され得るか、または使用されない場合があると仮定すると、これは、そのような不確定さを有する唯一のＲＥのタイプである。また、本実施形態に従って、ＣＳＩ−ＲＳが８つのアンテナポート上のＣＳＩ計測をサポートすることが仮定され得る。次いで、デザインパラメータＧおよびＮが表２にあるように得られ得る。
【００６５】
【表２】
2012514443.tif 000003
【００６６】
Ｇ≧ＮＡＮＴ（ここで、ＮＡＮＴは単一のセルにおけるＣＳＩ−ＲＳアンテナポートの全数）を満たす必要があるＧ（つまりＣＳＩ−ＲＳに利用可能なＣＳＩ−ＲＳ  ＲＥグループの全数）、およびＮ（つまり各ＣＳＩ−ＲＳ  ＲＥグループにおける利用可能なＲＥの全数）を仮定すると、そのセル識別がＰＣＩＤであるセルにおけるｋ番目のＣＳＩ−ＲＳポート（０≦ｋ＜ＮＡＮＴ）は、Ｇ  ＣＳＩ−ＲＳ  ＲＥグループの全てのｉ番目のＣＳＩ−ＲＳ  ＲＥグループにおけるｊ番目のＲＥ（０≦ｊ＜Ｎ）に割り当てられる。ここで、０≦ｉ＜Ｇが仮定される。マッピング関数は次のようにデザインされ得る。
【００６７】
各セルはＮＡＮＴ≦Ｇ  ＣＳＩ−ＲＳアンテナポートを有するという事実に起因して、ｆ：＜ｋ、ＰＣＩＤ；Ｇ、Ｎ＞→ｉのマッピング関数に対して、関数ｆは以下が可能であるべきである。
【００６８】
同じＰＣＩＤを有する異なる＜ｋ、ＰＣＩＤ＞を異なるｉにマッピングすることと、
異なるＰＣＩＤを有する複数の＜ｋ、ＰＣＩＤ＞を同じｉにマッピングし、そのようなマッピングは均一になされ得、それはマッピングが擬似乱数であることを意味し得ること。
【００６９】
単純および簡単なマッピング構造は、ｆ（ｋ、ＰＣＩＤ；Ｇ、Ｎ）＝［ｋ＋ｐｓｅｕｄｏ＿ｒａｎｄｏｍ（ＰＣＩＤ）］  ｍｏｄ  Ｇにより与えられる。ここで、ｍｏｄはモジュロ作動を表しており、ｐｓｅｕｄｏ＿ｒａｎｄｏｍ（ＰＣＩＤ）は、整数ＰＣＩＤと等しい生成シードを有する任意のランダムな数生成関数である。
【００７０】
ｇ：＜ｋ、ＰＣＩＤ；Ｇ、Ｎ＞→ｊのマッピング関数に対して、１つのＣＳＩ−ＲＳ  ＲＥグループに関連付けられた各セルは、そのグループの１つのＣＳＩ−ＲＳ  ＲＥのみ有し得、特定のＣＳＩ−ＲＳポートに対応する必要がないので、インデックスｋは関数パラメータリストから取り除かれ得る。一方では、関数ｇが、ＣＳＩ−ＲＳ  ＲＥグループごとのＮ  ＲＥ内で、ＰＣＩＤを均等にマッピングし得るために、各ＣＳＩ−ＲＳ  ＲＥグループで可能な限り多くのセル間直交を有することが望まれ得る。１つの例示的マッピング関数が、ｇ（ＰＣＩＤ；Ｇ、Ｎ）＝ＰＣＩＤ  ｍｏｄ  Ｎにより与えられ、ここでｍｏｄはモジュロ作動を表している。
【００７１】
ＣＳＩ−ＲＳホッピングがＣＳＩ−ＲＳ  ＲＥ割り当てに適用され得る。これは、セルＸのアンテナポートｋに対するＣＳＩ−ＲＳ  ＲＥが、異なる送信時間例において異なるＲＥロケーションを有し得ることを意味する。そのようなホッピングは、例えば、１つのＣＳＩ−ＲＳサイクルまたは複数のＣＳＩ−ＲＳサイクルのユニットにおいて、グループ内間ホッピングまたはグループ間ホッピングまたは両方の組み合わせのどれかによって実行され得る。
【００７２】
グループ内間ホッピングに対して、マッピング関数ｆは必ずしもホッピング処理に関わらない。例えば、マッピング関数ｇは、時間ドメインホッピング例を考慮に入れ得る。例えば、ホッピングを有する改変された関数ｇは、ｇ（ＰＣＩＤ、Ｔ；Ｇ、Ｎ）＝（ＰＣＩＤ＋ｈｏｐ（Ｔ））  ｍｏｄ  Ｎであり、ここでｈｏｐ（Ｔ）は、ホッピング時間例を整数に変換するホッピング関数である。
【００７３】
グループ間ホッピングに対して、マッピング関数ｇは必ずしもホッピング処理に関わらない。マッピング関数ｆは、時間ドメインホッピング例を考慮に入れ得る。例えば、ホッピングを有する改変された関数ｆは、ｆ（ｋ、ＰＣＩＤ、Ｔ；Ｇ、Ｎ）＝［ｋ＋ｐｓｅｕｄｏ＿ｒａｎｄｏｍ（ＰＣＩＤ）＋ｈｏｐ（Ｔ）］  ｍｏｄ  Ｇであり、ここでｈｏｐ（Ｔ）は、ホッピング時間例を整数に変換するホッピング関数である。
【００７４】
本明細書で説明されたＣＳＩ−ＲＳ割り当て方法のあるインプリメンテーションにおいて、ＣＳＩ−ＲＳ  ＲＥグループは明示的に定義されないことがある。セル識別がＰＣＩＤであるセルのｋ番目のアンテナポートに対するＣＳＩ−ＲＳ  ＲＥの割り当ては、ＰＲＢの１つのＲＥに直接マッピングされ得る。この場合、ＣＳＩ−ＲＳ  ＲＥの概念は、暗示的に言及され得、ＰＲＢごとの全ての利用可能なＲＥの中でターゲットＲＥインデックスは、例えば、Ｎ＊ｆ（ｋ、ＰＣＩＤ；Ｇ、Ｎ）＋ｇ（ＰＣＩＤ；Ｇ、Ｎ）として計算され得る。
【００７５】
上記で説明された図に示された例において、ＣＳＩ−ＲＳ  ＲＥグループは、互いに隣接するＲＥを含む。それにも関わらず、本開示の実施形態は、各ＣＳＩ−ＲＳ  ＲＥグループにおけるＲＥが、ＰＲＢにおいて分離されることを可能にする。数学的観点から、１つのＰＲＢにおけるＣＳＩ−ＲＳ送信に利用可能な全てのＲＥにインデックスをつける、または順序付けるさまざまな方法がある。同じ理由により、図５〜図８を通してＰＲＢにおいてＣＳＩ−ＲＳ  ＲＥグループのインデックスは、また、例示的目的のみであって、本開示の範囲を限定する意図ではない。当業者は、異なるインデックス方法および順序付け方法が用いられ得ることに気付く。
【００７６】
上記で本発明のさまざまな実施形態が説明された一方で、それらは例としてのみ示されたのであって、限定として示されたものではないということは理解されるべきである。同様に、さまざまなダイヤグラムが例示的アーキテクチャまたは他の構成を本開示のために描写し得るが、それは本開示に含まれ得る特徴および機能性の理解を助けるためになされたものである。本開示は描写された例示的アーキテクチャまたは構成に制限されるものではなく、さまざまな代替のアーキテクチャおよび構成を用いてインプリメントされ得る。加えて、本開示は、さまざまな例示的実施形態およびインプリメンテーションによって上記で説明されるが、１つ以上の個別の実施形態で説明されたさまざまな特徴および機能性は、その用途において、説明された特定の実施形態に限定されるわけではないことは理解されるべきである。代わりに、そのような実施形態が説明されているかどうかに関わらず、かつそのような特徴が説明された実施形態の一部として示されているかどうかに関わらず、単体またはある組み合わせにより、本開示の１つ以上の他の実施形態に適用され得る。そのため、本開示の幅および範囲は、上記で説明された例示的実施形態のいずれにも限定されるべきではない。
【００７７】
本明細書において、本明細書で使用される「モジュール」という用語は、本明細書で説明される関連付けられた機能を実行するソフトウェア、ファームウェア、ハードウェアおよびこれら要素の任意の組み合わせに言及する。加えて、議論のために、さまざまなモジュールが別々のモジュールとして説明される。しかし、当業者には明らかなように、本発明の実施形態に従って、関連付けられた機能を実行する単一のモジュールを形成するために、２つ以上のモジュールが接続され得る。
【００７８】
本明細書において、「コンピュータープログラム製品」、「コンピューター読取り可能な媒体」やその類似表現は、一般に、メモリ格納デバイスまたは格納ユニットのような媒体を言及するために使用され得る。これらおよび他のコンピューター読取り可能な媒体の形態は、プロセッサに特定の作動を実行させるためのプロセッサによる使用に対する１つ以上の命令を格納することに関係し得る。そのような命令は、一般に「コンピュータープログラムコード」（コンピュータープログラムの形態または他のグループに分類され得る）と呼ばれ、実行されるとコンピューターシステムを動作可能にする。
【００７９】
上記の説明が、明確さの目的で、異なる機能的ユニットおよびプロセッサに関連して、本発明の実施形態を説明することが認められる。しかし、異なる機能的ユニット、プロセッサまたはドメイン間の機能性の任意の適切な分布が、本発明から逸脱することなしに使用され得ることは明らかである。例えば、別個のプロセッサまたはコントローラーにより実行される、描写された機能性は、同じプロセッサまたはコントローラーにより実行され得る。したがって、特定の機能的ユニットを参照することは、厳密なロジックまたは物理的な構造や構成を意味しているというよりはむしろ、説明された機能性を提供する適切な手段を参照しているとして見なすに過ぎない。
【００８０】
本明細書で使用される用語および表現、そのバリエーションは、そうでないと明示的に述べられない限り、限定とは反対の拡張できるものとして解釈されるべきである。前述の例として、「含む」という用語は、「限定なしに含む」などの意味として読まれるべきである。「例」という用語は、議論の項目の例示的な例を提供するために使用されており、その網羅的または限定的リストではない。「従来の」、「伝統的な」、「通常の」、「標準の」、「公知の」という形容詞および類似の意味の用語は、説明される項目を一定の時間期間または一定の時間から利用可能な項目に限定するものとして解釈されるべきではない。その代わりに、これらの用語は、現在利用可能、公知または将来のいずれの一時点で利用可能、公知の、従来の、伝統的な、通常の、または標準の技術を包括するものとして読まれるべきである。同じ様に、「および」という接続詞で接続された項目のグループは、それら項目のいずれもがグループ内に存在していることを要求すると読まれるべきではなく、むしろ、明示的にそうでないと述べられない限り、「および／または」として読まれるべきである。同様に、「または」という接続詞で接続された項目のグループは、そのグループ内で相互排他的であることを要求するものとして読まれるべきではなく、むしろ、明示的にそうでないと延べられない限り、「および／または」として、また、読まれるべきである。さらに、本開示の項目、要素またはコンポーネントは単数形で説明または主張され得るが、単数形への限定が明示的に述べられない限り、複数形がその範囲内に想定される。いくつかの例における「１つ以上」、「少なくとも」、「しかし限定されるわけではない」または他の類似の表現のような拡張的語および表現の存在は、そのような拡張的表現が不在であり得る例において、より狭いケースが意図されているまたは要求されていると意味していると読まれるべきではない。
【００８１】
加えて、コミュニケーションコンポーネントと同様に、メモリまたは他の格納が、本発明の実施形態で採用され得る。上記の説明が、明確さの目的で、異なる機能的ユニットおよびプロセッサに関連して、本発明の実施形態を説明することが認められる。しかし、異なる機能的ユニット、処理ロジック要素またはドメイン間の機能性の任意の適切な分布が、本発明から逸脱することなしに使用され得ることは明らかである。例えば、別個の処理ロジック要素またはコントローラーにより実行される、描写された機能性は、同じ処理ロジック要素またはコントローラーにより実行され得る。したがって、特定の機能的ユニットを参照することは、厳密なロジックまたは物理的な構造または構成を意味しているというよりはむしろ、説明された機能性を提供する適切な手段を参照しているとして見なすに過ぎない。
【００８２】
さらに、個別にリストにされているが、複数の手段、要素または方法ステップが、例えば単一のユニットまたは処理ロジック要素によりインプリメントされ得る。加えて、個別の特徴が、異なる特許請求の範囲に含まれ得るが、これらは恐らく好都合に結合され得る。異なる特許請求の範囲に含まれることは、特徴の組み合わせが可能でないことおよび／または好都合でないことを意味しない。また、特徴を特許請求の範囲の１つのカテゴリーに含めることは、このカテゴリーに限定することを意味しておらず、むしろ、特徴が均等に他の特許請求の範囲のカテゴリーに、適切に、適用可能であり得る。
【図１】
2012514443.tif 000004
【図２】
2012514443.tif 000005
【図３】
2012514443.tif 000006
【図４】
2012514443.tif 000007
【図５】
2012514443.tif 000008
【図６】
2012514443.tif 000009
【図７】
2012514443.tif 000010
【図８Ａ】
2012514443.tif 000011
【図８Ｂ】
2012514443.tif 000012
【図９Ａ】
2012514443.tif 000013
【図９Ｂ】
2012514443.tif 000014
【国際調査報告】
2012514443.tif 000015
2012514443.tif 000016